(57)【特許請求の範囲】
【請求項１】
２個の矩形状の板体収納トレイ構成体をその長辺縁部で互いに接合してなる合成樹脂製板体収納トレイであって、
前記２個の板体収納トレイ構成体を接合する位置のトレイ裏面に、該板体収納トレイ構成体の前記長辺縁部に沿って延びる補強部材を配置し、前記トレイ裏面で前記補強部材を介して前記２個の板体収納トレイ構成体を、該板体収納トレイ構成体の接合面同士を突合せ状態に固着し、前記２個の板体収納トレイ構成体同士を接合する該板体収納トレイ構成体の接合面は、板体収納面に対して９０度未満の角度で下向きに傾斜しており、前記２個の板体収納トレイ構成体同士を前記接合面で接合したとき、トレイ表面の板体収納面が中高となってトレイ中央位置がトレイ載置面から浮いた状態となることを特徴とする合成樹脂製板体収納トレイ。
【発明の詳細な説明】
【技術分野】
【０００１】
本発明は、フラットパネルディスプレイ等を収納・搬送するために用いられる合成樹脂製の板体収納トレイに係り、特に通常の合成樹脂成形によるトレイでは困難な大型ディスプレイを収納することができるとともに、大形なトレイに生じがちである撓みに対する対策も考慮した合成樹脂製板体収納トレイに関する。
【背景技術】
【０００２】
従来、大型ディスプレイの生産工程においてこれを収納・搬送するためには、大型ディスプレイの外周縁を保持するストッパー部等を備え、大型ディスプレイを収納、搬送する合成樹脂製のトレイが用いられている。
【特許文献１】特開平８−３２４６７４号公報
【発明の開示】
【発明が解決しようとする課題】
【０００３】
しかしながら、近年フラットパネルディスプレイはますます大型化し、大きなものでは幅１メートル以上というきわめて大きなサイズとなっている。この大型ディスプレイは、製造工程においてトレイに収納されて移動するが、このトレイを合成樹脂成形により形成することは、金型や成形機を大型なものにしなければならず、技術的困難さとコストの増大という問題があることに加え、大きくて薄いトレイは成型時のみならず経時的にも反り・撓み等が生じやすく、このことは精密な大型ディスプレイを収納するトレイとしては大きな問題であった。また、従来のトレイにあっては、ストッパーでディスプレイの外周縁を掛止する構造からして、ディスプレイのサイズごとにトレイの種類を変えることを余儀なくされ、多数のトレイを揃えていた。
【０００４】
そこで本発明にあっては、これらの課題を解決すべく、大型ディスプレイを撓ませることなく安定した状態にて収納することができかつ各種サイズの大型ディスプレイに対応することができる板体収納容器を提供することを目的とする。
【課題を解決するための手段】
【０００５】
上記目的を達成するため、本発明の合成樹脂製板体収納トレイは、２個の矩形状の板体収納トレイ構成体をその長辺縁部で互いに接合してなる合成樹脂製板体収納トレイであって、前記２個の板体収納トレイ構成体を接合する位置のトレイ裏面に、該板体収納トレイ構成体の前記長辺縁部に沿って延びる補強部材を配置し、前記トレイ裏面で前記補強部材を介して前記２個の板体収納トレイ構成体を、該板体収納トレイ構成体の接合面同志を突合せ状態に固着したことを特徴とする。
【０００６】
また、前記２個の板体収納トレイ構成体同士を接合する該板体収納トレイ構成体の接合面は、板体収納面に対して９０度未満の角度で下向きに傾斜しており、前記２個の板体収納トレイ構成体同士を前記接合面で接合したとき、トレイ表面の板体収納面が中高となってトレイ中央位置がトレイ載置面から浮いた状態となることを特徴とするものである。
【０００７】
また、前記２個の板体収納トレイ構成体は、２個の同一形状体からなることを特徴とする。
【０００８】
また、前記補強部材は金属製板体としたことを特徴とする。
【０００９】
また、前記２個の板体収納トレイ構成体同志を接合する該板体収納トレイ構成体の接合面は、板体収納面に対して８９度以上９０度未満の角度で下向きに傾斜していることを特徴とする。
【００１０】
また、板体収納面には、収納する板体の水平方向の移動を防止する滑り止め部材を着脱自在に配設してなることを特徴とする。
また、前記２個の板体収納トレイ構成体を接合する位置に近接してトレイ裏面に、該板体収納トレイ構成体の長辺方向に延びる補強部材挟持部を形成し、前記補強部材と前記補強部材挟持部とを共締めしたことを特徴とする。
【発明の効果】
【００１１】
本発明の合成樹脂樹脂製板体収納トレイによれば、２個の矩形状の板体収納トレイ構成体をその長辺縁部で互いに接合してなる合成樹脂製板体収納トレイであって、前記２個の板体収納トレイ構成体を接合する位置のトレイ裏面に、該板体収納トレイ構成体の前記長辺縁部に沿って延びる補強部材を配置し、前記トレイ裏面で前記補強部材を介して前記２個の板体収納トレイ構成体同士を、該板体収納トレイ構成体の接合面同志が突合せ状態となるように固着することで、大形なトレイであってもそれよりも小さな板体収納トレイ構成体を接合して形成することができるとともに、接合する際に補強部材を介在させることでトレイ全体の強度を増すことができるものである。
【００１２】
また、前記２個の板体収納トレイ構成体同士を接合する該板体収納トレイ構成体の接合面は、板体収納面に対して９０度未満の角度で下向きに傾斜しており、前記２個の板体収納トレイ構成体同士を前記接合面で接合したとき、トレイ表面の板体収納面が中高となってトレイ中央位置がトレイ載置面から浮いた状態とすることで、板体収納面の中央部分を浮かして周縁部を接地して、トレイは反り・撓みがなく安定した状態となり、大形な板体であっても好適に収納することができる。
【００１３】
また、前記２個の板体収納トレイ構成体は、２個の同一形状体からなることで、１つの成型金型で成型される板体収納トレイ構成体を２個接合して大きなトレイを構成することができ、これにより大がかりな樹脂成型装置を用いることでの困難な成型条件を設定する必要がなくなり、容易に成形できるとともにコスト低減にも寄与することができる。
【００１４】
また、前記補強部材を金属製板体とすることで、その剛性により合成樹脂製板体収納トレイの反り・撓みを防止することができる。
【００１５】
また、前記２個の板体収納トレイ構成体同士を接合する該板体収納トレイ構成体の接合面は、板体収納面に対して８９度以上９０度未満の角度で下向きに傾斜していることで、手作業による加工や細かな調整等を必要とすることなく、２つの板体収納トレイ構成体を組み上げるだけで自動的に板体収納面の中央部分を周縁に対して浮かせることができる。
【００１６】
また、板体収納面には、収納する板体の水平方向の移動を防止する滑り止め部材を着脱自在に配設してなることで、ストッパーで収納する板体の外周縁を掛止する必要がなく、１つの大きなトレイで多種の寸法の板体を収納させることができる。
さらに、前記２個の板体収納トレイ構成体を接合する位置に近接してトレイ裏面に、該板体収納トレイ構成体の長辺方向に延びる補強部材挟持部を形成し、前記補強部材と前記補強部材挟持部とを共締めしたことで、補強部材の保持、装着が容易となるだけでなく、リブ状に延びる補強部材挟持部と共働して一層トレイ全体の強度向上が図られる。
【発明を実施するための最良の形態】
【００１７】
図１は、本発明の合成樹脂製板体収納トレイ１を示しており、この薄くて矩形の合成樹脂製板体収納トレイ１は、トレイの長辺と平行に中央で２分割した同一形状の合成樹脂成形された板体収納トレイ構成体２を２個用い、一方の板体収納トレイ構成体２を水平に１８０度回転させ接合して形成されている。そして、この板体収納トレイ構成体２の接合面３の間には、スチール等の金属製の細長い帯状の形状からなる補強部材４（トレイの長辺と略同じ長さ）を介在させ、裏面１ａからボルト・ナット１１（図２）で共締めすることで、２個の板体収納トレイ構成体２と補強部材４とを一体化させ、これにより薄く大形なトレイが反ったり撓んだりすることを防いでいる（特に長辺方向に対し）。
【００１８】
このようにして、組み上がった合成樹脂製板体収納トレイ１は、周囲には補強用のリブ効果を発揮し積載時に掛合部となる立壁５が囲繞するとともに、その内方を板体収納用の板体収納面６としている。大型のディスプレイ等を構成する大形の板体７は、板体収納面６上に配置されたシリコンゴム等からなる円盤状の複数の滑り止め部材８の上面に当接することで、ゴムの摩擦力により水平方向の移動を抑止されるものである。図１に示すごとく、滑り止め部材８を板体収納面６の略対角線上に配置することで、例えば６０インチの板体と５０インチの板体の収納に対応することができるものである。
【００１９】
また、前記板体収納トレイ構成体２の接合面３は、板体収納面６に対して通常は直角（９０度）に形成されるものであるが、本実施例にあっては、角度８９度以上〜９０度未満の僅かな傾斜面に形成している。このようにすることで、２つの接合面３の間に補強部材４を挟持させて共締めした場合、図２に示すごとく、接合面３が位置するトレイの短辺方向の中央部分が、トレイ載置面９、すなわちトレイの長辺の外周縁下端に対して僅かに浮き、板体収納面６が接合方向に向かい高くなる傾斜部を形成している。つまり、トレイの長辺の外周縁下端が、トレイ載置面９に対し浮くことなく接地することから、薄く大形なトレイが反ったり撓んだりすることを防ぐものである（特に長辺に沿った方向に対し）。そして、板体収納面６に大型のディスプレイ等を構成する大形の板体７が載置されると、その重さで僅かに浮いていたトレイの短辺方向の中央部分が降下してトレイ載置面９に接地し、安定した水平状態となるものである。
【００２０】
このようにして、薄くて大形な合成樹脂製板体収納トレイ１にあって、その長辺方向については補強部材４により剛性を保持するとともに、短辺方向についてはトレイの短辺方向の中央部分を長辺の外周縁下端に対して僅かに浮かせる構成とすることでトレイの反り・撓みを防止することができるものである。
【００２１】
尚、上述した実施例にあっては、合成樹脂製板体収納トレイ１に収納するものを大型ディスプレイを例にとり説明したが、勿論これに限定されることはなく、大型ディスプレイ以外の適宜な板体であってもよいものである。
【図面の簡単な説明】
【００２２】
【図１】本発明の合成樹脂製板体収納トレイの分解斜視図である。
【図２】本発明の合成樹脂製板体収納トレイの断面図である。
【符号の説明】
【００２３】
１  合成樹脂製板体収納トレイ
２  板体収納トレイ構成体
３  接合面
４  補強部材
５  立壁
６  板体収納面
７  板体
８  滑り止め部材
９  トレイ載置面
１１  ボルト・ナット
【図１】
0004895542.tif 000002
【図２】
0004895542.tif 000003